(57)【要約】【課題】  油性成分を含有することで高い保湿性を有しながら、油性成分の滲み出しによるブロッキングは起こり難く、しかも、使用時の泡立ちが良好な粉末洗浄剤組成物を提供すること。【解決手段】  ａ成分（融点が４５℃以下の油性成分と、賦形成分とを含有する粉末化物）及びｂ成分（陰イオン性界面活性剤の粉末化物）を含有し、ａ成分の含量が０．５〜８０重量％、ｂ成分の含量が２０〜９９．５重量％である粉末洗浄剤組成物。ａ成分を構成する油性成分と賦形成分の重量比は１０：９０〜８０：２０であるのが好ましく、また、粉末洗浄剤組成物の平均粒子径は1０〜１０００μｍであるのが好ましい。【選択図】  なし【特許請求の範囲】
【請求項１】
下記ａ及びｂを含有し、ａの含量が０．５〜８０重量％、ｂの含量が２０〜９９．５重量％である、粉末洗浄剤組成物。
ａ．融点が４５℃以下の油性成分と、賦形成分とを含有する粉末化物
ｂ．陰イオン性界面活性剤の粉末化物
【請求項２】
ａ成分を構成する油性成分と賦形成分の重量比（油性成分：賦形成分）が１０：９０〜８０：２０である請求項１記載の粉末洗浄剤組成物。
【請求項３】
平均粒子径が1０〜１０００μｍである請求項１又は２記載の粉末洗浄剤組成物。
【請求項４】
ｂ成分がアシルアミノ酸型陰イオン性界面活性剤又は／及び脂肪酸塩である、請求項１〜３のいずれか一項記載の粉末洗浄剤組成物。
【発明の詳細な説明】
【技術分野】
【０００１】
本発明は粉末洗浄剤組成物に関する。詳しくは、高い保湿性を有し、泡立ちが良好で、油性成分の滲み出しによるブロッキングが起き難い粉末洗浄剤組成物に関する。
【背景技術】
【０００２】
近年、アトピー性皮膚炎や乾燥肌で悩む人が増えてきており、洗浄剤組成物に高い保湿性が求められるようになってきている。洗浄剤組成物の保湿性を向上させるためには、油脂、スクワラン、流動パラフィンなどの油性成分を洗浄剤組成物に加えることが効果的であることが知られている。例えば、下記特許文献１には、アシルイセチオン酸塩とＮ−アシルアミノ酸塩にスクワランなどの油性成分を加えた粉末洗浄剤組成物が提案されている。しかし、粉末の洗浄剤組成物に油性成分を添加すると、油性成分が経時的に滲み出し、保存時にブロッキングが起きる問題があり、また、使用時に泡立ちが悪くなる場合がある。
【０００３】
これらの問題を解決するため、油性成分を賦形剤で被覆する技術が知られている。例えば、下記特許文献２では、スクワランなどの油性成分とアラビアゴムなどの賦形剤とのエマルションを噴霧乾燥して得た粉末を含む粉末化粧料が開示されている。しかしながら、かかる油性成分を賦形剤で被覆する技術によって、油性成分の滲み出しによる保存時のブロッキングの問題は改善されるが、洗浄剤の使用時の泡立ちが悪くなる。
【特許文献１】特開２００１−２６５２４号公報
【特許文献２】特開昭６１−１５８１１号公報
【発明の開示】
【発明が解決しようとする課題】
【０００４】
上記事情に鑑み、本発明が解決しようとする課題は、油性成分を含有することで高い保湿性を有しながら、油性成分の滲み出しによるブロッキングは起こり難く、しかも、使用時の泡立ちが良好な粉末洗浄剤組成物を提供することである。
【課題を解決するための手段】
【０００５】
本発明者らは、上記課題を解決するため鋭意検討した結果、特定の融点を有する油性成分を賦形成分とともに粉末化物とし、該粉末化物と陰イオン性界面活性剤の粉末化物とをそれぞれ特定量含有させて粉末洗浄剤組成物を調製すると、該粉末洗浄剤組成物は高い保湿性と良好な泡立ちを有し、しかも、ブロッキングが生じ難いものになることを見出し、本発明を完成するに至った。
【０００６】
即ち、本発明は、
（１）下記ａ及びｂを含有し、ａの含量が０．５〜８０重量％、ｂの含量が２０〜９９．５重量％である、粉末洗浄剤組成物。
ａ．融点が４５℃以下の油性成分と、賦形成分とを含有する粉末化物
ｂ．陰イオン性界面活性剤の粉末化物
（２）ａ成分を構成する油性成分と賦形成分の重量比（油性成分：賦形成分）が１０：９０〜８０：２０である上記（１）記載の粉末洗浄剤組成物、
（３）平均粒子径が1０〜１０００μｍである上記（１）又は（２）記載の粉末洗浄剤組成物、及び
（４）ｂ成分がアシルアミノ酸型陰イオン性界面活性剤又は／及び脂肪酸塩である、上記（１）〜（３）のいずれか一つに記載の粉末洗浄剤組成物、に関する。
【発明の効果】
【０００７】
本発明によれば、泡立ちが良好で、保湿性が高く、しかも、ブロッキングを起こし難い優れた粉末洗浄剤組成物を得ることができる。
【発明を実施するための最良の形態】
【０００８】
以下、本発明をより詳しく説明する。
本発明の粉末洗浄剤組成物（以下、単に「組成物」ともいう。）に使用するａ成分（融点が４５℃以下の油性成分と、賦形成分とを含有する粉末化物）の組成物中の含量は０．５〜８０重量％であり、好ましくは５〜７０重量％である。
【０００９】
ａ成分の含量が０．５重量％未満となると保湿性が低下する傾向となり、ａ成分の含有量が８０重量％を超えると組成物の泡立ちが悪化し、また、ブロッキングを生じ易くなる。
【００１０】
また、ａ成分の油性成分は融点が４５℃以下であることが重要であり、融点が３７℃以下であるのが好ましい。該油性成分の融点が４５℃を超えると組成物の保湿性が低下してしまう。該ａ成分の融点が４５℃以下の油性成分としては、スクワラン、スクワレン、流動パラフィン、モノエステル、油脂、シリコンなどが挙げられ、中でも、油脂を使用すると組成物の保湿性がより向上するので好ましい。油脂としては、例えば、オリーブ油、大豆油、ヒマワリ油、パーム油、パーム核油、ホホバ油などが好ましい。これらの油性成分はいずれか一種を単独で使用しても、二種以上を混合して使用してもよい。なお、本発明でいう「融点」は、基準油脂分析試験法２.２.４.２に規定された上昇融点である。
【００１１】
ａ成分の賦形成分としては、例えば、大豆タンパクなどのタンパク質及びそれらの加水分解物；カゼインなどの複合タンパク及びカゼインナトリウムなどの複合タンパクの誘導体；米澱粉、トウモロコシ澱粉、小麦澱粉、馬鈴薯澱粉などの澱粉及びオクテニルクハク酸エステル化澱粉などの加工澱粉；グルコース、デキストリン、トレハロースなどの糖；ゼラチンなどの誘導タンパク；グーガム、キサンタンガムなどのガム類などが挙げられ、これらの中でも、カゼイン、カゼインナトリウムオクテニルクハク酸エステル化澱粉、デキストリン、トレハロースが好ましい。これらの賦形成分はいずれか一種を単独で使用しても、二種以上を混合して使用してもよい。
【００１２】
ａ成分、すなわち、融点が４５℃以下の油性成分と、賦形成分とを含有する粉末化物は、例えば、油性成分と賦形成分のＯ／Ｗ型エマルションを噴霧乾燥、凍結乾燥、バンド乾燥などの方法によって粉末化することによって得ることができる。ａ成分中、油性成分と賦形成分の重量比（油性成分：賦形成分）は１０：９０〜８０：２０が好ましく、より好ましくは２０：８０〜６５：３５である。この範囲を離れて油性成分の割合が小さくなると、粉末化物から油性成分が滲み出しにくくなって、保湿性が低下する傾向となり、油性成分の割合が大きくなると、粉末化物を得ることが出来ないか、また、粉末化物を得ることが出来ても油性成分の滲み出しが過多になって組成物がブロッキングを起こし易くなり、また、泡立ちも悪化する傾向となる。
【００１３】
油性成分と賦形成分のＯ／Ｗ型エマルションは一般に知られた乳化方法によって調製が可能であり、該Ｏ／Ｗ型エマルションを調製する際に、乳化剤を使用しても良い。乳化剤としては、例えば、脂肪酸とグリセリンのモノエステル、脂肪酸とポリグリリセリンとの部分エステル、ソルビタン脂肪酸エステル、蔗糖エステル、ポリオキシエチレンソルビタン脂肪酸エステルなどのポリアルキレングリコール誘導体などが使用できる。
【００１４】
油性成分と賦形成分のＯ／Ｗ型エマルションは平均粒子経が５μｍ以下であるのが好ましく、３μｍ以下であるのがより好ましい。Ｏ／Ｗ型エマルションの平均粒子径が５μｍを超えて大きい場合、それより得られる粉末化物を使用した組成物は泡立ちが悪化する傾向となる。この理由は明らかではないが、本発明者等は以下の様に推測している。
【００１５】
即ち、平均粒子径が５μｍを超えるＯ／Ｗ型エマルションより得られる粉末化物は手でこすると油性成分が滲み出し、滲み出した油性成分と陰イオン性界面活性剤の粉末化物とが接触するため、粉末洗浄剤組成物の泡立ちが悪化する傾向となり、平均粒子径が５μｍ以下のＯ／Ｗ型エマルションより得られる粉末化物は、手でこすっても油性成分が染み出さず、陰イオン性界面活性剤の粉末化物の泡立ちを妨げないので、良好な泡立ちを得ることができるものと考えられる。
【００１６】
なお、本発明でいう「Ｏ／Ｗ型エマルションの平均粒子径」とは、体積平均径のことである。
【００１７】
本発明で使用するｂ成分は、陰イオン性界面活性剤の粉末化物であり、組成物中の含量は２０〜９９．５重量％であり、好ましくは３０〜９５重量％である。ｂ成分の含量が２０重量％未満となると組成物の泡立ちが悪化し、９９．５重量％を超えると保湿性が低下してしまう。
【００１８】
該ｂ成分の陰イオン性界面活性剤の粉末化物は、使用する陰イオン性界面活性剤の種類によっては、組成物の泡立ちの悪化や保湿性の低下を生じさせたり、また組成物のブロッキングを生じる場合があるため、このような不具合を生じさせない陰イオン性界面活性剤を選択するのが好ましく、そのような陰イオン性界面活性剤としては、例えば、アシルアミノ酸型陰イオン性界面活性剤又は／及び脂肪酸塩が挙げられる。かかるアシルアミノ酸型陰イオン性界面活性剤又は／及び脂肪酸塩の粉末化物を使用すると、泡立ちが良好で、保湿性が高く、ブロッキングが生じない粉末洗浄剤組成物を得ることができる。
【００１９】
アシルアミノ酸型陰イオン性界面活性剤は、例えば、アシルメチルタウリン塩、Ｎ−アシルグルタミン酸塩、アシルイセチオン酸塩等が好ましく、これらの陰イオン性界面活性剤のアシル基は、好ましくは炭素数１０〜２２の飽和又は不飽和の直鎖又は分枝の脂肪酸残基であり、該脂肪酸残基は、単一脂肪酸の残基であっても、炭素数が異なる脂肪酸の混合物である混合脂肪酸の残基であってもよい。該混合脂肪酸は、好ましくは、ヤシ油脂肪酸、硬化ヤシ油脂肪酸、牛脂脂肪酸、硬化牛脂脂肪酸、パーム油脂肪酸、硬化パーム油脂肪酸、パーム核油脂肪酸、硬化パーム核油脂肪酸等である。また、対イオンとしては、ナトリウム、カリウム、モノエタノールアミン、ジエタノールアミン、トリエタノールアミンなどが挙げられ、またタウリン、リジン、アルギニンなどのアミノ酸が挙げられ、特にナトリウムが好ましい。当該アシルアミノ酸型陰イオン性界面活性剤はいずれか一種を単独で使用しても、二種以上を混合して使用してもよい。
【００２０】
脂肪酸塩は、直鎖若しくは分岐鎖状の飽和若しくは不飽和脂肪酸の塩であって、炭素数が同一の単一化合物（単一脂肪酸）の塩であっても、炭素数が異なる化合物の混合物よりなる混合脂肪酸の塩であってもよい。塩の塩基成分としては、ナトリウム、カリウム等のアルカリ金属、マグネシウム、カルシウムなどのアルカリ土類金属、モノエタノールアミン、ジエタノールアミン、トリエタノールアミン、２−アミノ−２−メチル−１−プロパノール、２−アミノ−２−メチル−１，３−プロパンジオールなどの有機アミン、アンモニア等の無機アミン、リジン、オルニチン、アルギニンなどの塩基性アミノ酸等が挙げられ、特にナトリウムが好ましい。当該脂肪酸塩において、脂肪酸の炭素数は１０〜２２が好ましい。当該脂肪酸塩の具体例としては、ラウリン酸、ミリスチン酸、パルミチン酸、ステアリン酸、ヤシ油脂肪酸、硬化ヤシ油脂肪酸、牛脂脂肪酸、硬化牛脂脂肪酸、パーム油脂肪酸、硬化パーム油脂肪酸、パーム核油脂肪酸、硬化パーム核油脂肪酸、サフラワー油脂肪酸、ベヘニン酸、オレイン酸、イソステアリン酸等の塩が挙げられる。これらは、いずれか一種を単独で使用しても、二種以上を混合して使用してもよい。
【００２１】
なお、陰イオン性界面活性剤の粉末化物を得る方法は、特に限定されず、例えば、陰イオン性界面活性剤の溶液を噴霧乾燥する、真空乾燥する等の公知の粉末化法で行えばよい。また、市販されている陰イオン性界面活性剤の粉末化物を使用することもできる。
【００２２】
本発明の粉末洗浄剤組成物は、その平均粒子径が適切でないと泡立ちが悪化する傾向となる。このため、本発明の粉末洗浄剤組成物の平均粒子径（すなわち、主成分たるａ成分とｂ成分を合せた粉末化物全体の平均粒子径）は１０〜１０００μｍの範囲内であるのが好ましく、５０〜５００μｍの範囲内であるのがより好ましい。よって、ａ成分及びｂ成分は、これらを合せた粉末化物全体の平均粒子径がかかる好適範囲となるものを使用するのが好ましく、ａ成分及びｂ成分は、それぞれ、粉末化後に、必要に応じて粒度調整（分級処理）される。
なお、ここでいう「平均粒子径」とは、体積平均径のことである。
【００２３】
また、本発明の粉末洗浄剤組成物は、水分量が５重量％以下であるのが好ましい。５重量％を超えるとブロッキングを起こし易い傾向となる。
【００２４】
本発明の粉末洗浄剤組成物には、ブロッキングを起こし難くするために、タルク、マイカ、チタニウムマイカ、セリサイト、酸化亜鉛、酸化チタン、ベントナイト、シリカ等から選ばれる一種又は二種以上を配合してもよい。
【００２５】
また、本発明の粉末洗浄剤組成物は、洗浄剤組成物に通常用いられる添加剤を配合してもよく、該添加剤の例としては、トコフェロールなどの酸化防止剤、エデト酸及びその塩やクエン酸などのキレート剤、墨、顔料などの色素、植物エキスなどの保湿成分、アスコルビン酸およびその誘導体などの美白成分、香料などが挙げられる。
【００２６】
本発明の粉末洗浄剤組成物は、ａ成分、ｂ成分及び必要に応じて配合される成分を、例えば、ナウターミキサー、ニーダーミキサー、ボールミル、エクストルニーダー等の公知の混合機で混合することにより調製される。
【実施例】
【００２７】
以下、実施例と比較例を示して、本発明をより具体的に説明するが、本発明は以下に示す実施例に限定されるものではない。
【００２８】
参考例
下記の表１に示す賦形成分と、賦形成分と油性成分の合計量に対し２重量％のノニオンＯＴ−２２１（ポリオキシエチレン（２０モル）ソルビタンモノオレート、日本油脂株式会社製）とを、等量から３倍量の水に溶解させた。次に、表１に示す油性成分を加えながらホモジナイザーを用い１００〜２００ｋｇ／ｃｍ2の圧力で予備乳化した。次に、油性成分と賦形成分の合計量に対し７倍量の水を加え、ホモジナイザーを用い１００〜２００ｋｇ／ｃｍ2の圧力で乳化した。乳化によって得られたＯ/Ｗ型エマルションの平均粒子径を、島津製作所(株)製のＳＡＬＤ−２１００によって測定した。その結果を表１に示す。
次に、アトマイザーが付いた噴霧乾燥機によって、Ｏ／Ｗ型エマルションを１９０℃で乾燥させ、粉末化物（ａ成分）を得た。
【００２９】
【表１】
2006089633.tif 000002
【００３０】
表１中、オリーブ油、スクワレン及び大豆油の融点は４５℃以下、パーム油部分硬化油の融点は４８℃である。「ＯＳ澱粉」は「オクテニルコハク酸エステル化澱粉」の略称である。
また、カゼインナトリウムとデキストリンの重量比（カゼインナトリウム：デキストリン）は３：１、ＯＳ澱粉とトレハロースの重量比（ＯＳ澱粉：トレハロース）は３：１である。
【００３１】
実施例１〜１１、比較例１〜３
参考例で得られた粉末化物（ａ成分）、陰イオン界面活性剤（粉末化物）（ｂ成分）、およびタルク（平均粒子径：１５μｍ）を下記表２に示す割合となるように混合し、得られた混合物（粉末洗浄剤組成物）の物性及び性能を以下に示す方法で評価した。
なお、粉末化物（ａ成分）、陰イオン界面活性剤（ｂ成分）およびタルクの混合は、ボールミルで行った。また、ｂ成分における陰イオン界面活性剤の粉末化は、噴霧乾燥で行った。また、粉末化物（ａ成分）と陰イオン界面活性剤の粉末化物（ｂ成分）との混合物につき、その平均粒子径を下記の方法で測定した。
評価結果を表２に示す。
【００３２】
（保湿性の評価方法）
２０人のパネラーが実際に洗顔を行い、以下の５段階で評価し、２０人のパネラーの評価点の平均点を求めた。
評価点５：保湿性が非常に高い
評価点４：保湿性が高い
評価点３：保湿性は普通
評価点１：保湿性が低い
評価点０：保湿性が非常に低い
【００３３】
（泡立ちの評価方法）
２０人のパネラーが実際に洗顔を行い、以下の５段階で評価し、２０人のパネラーの評価点の平均点を求めた。なお、泡立ちの評価は起泡力、泡質、泡立ち易さの総合評価で行った。
評価点５：泡立ちが非常に良い
評価点４：泡立ちが良い
評価点３：泡立ちは普通
評価点１：泡立ちが悪い
評価点０：泡立ちが非常に悪い
【００３４】
（ブロッキングの評価）
直径４ｃｍ、高さ１２ｃｍ、孔径５ｍｍの円筒容器に粉末洗浄剤組成物を８０ｇ充填し、４０℃で１週間静置した。容器をかたむけ、粉末洗浄剤組成物が孔より出るかどうかを以下の基準で評価した。５サンプルの評価点の平均点を求めた。
評価点５：容器をかたむけるだけで、粉末洗浄剤組成物が孔より出る
評価点３：容器をかたむけ、軽く振ると粉末洗浄剤組成物が孔より出る
評価点１：容器をかたむけ、強く振ると粉末洗浄剤組成物が孔より出る
評価点０：容器をかたむけ、強く振っても粉末洗浄剤組成物が孔より出ない
【００３５】
（ａ成分とｂ成分の混合物の平均粒子径）
ヘキサン中にａ成分とｂ成分粉の混合物を分散し、島津製作所(株)製のＳＡＬＤ−２１００を用いて湿式法で平均粒子径を測定した。
【００３６】
（粉末洗浄剤組成物の水分量）
ＪＩＳ−Ｋ３３０４法に準拠して行った。
【００３７】
【表２】
2006089633.tif 000003
【００３８】
表２中、＊、＊＊は以下の通りである。
＊：パーム核油脂肪酸２５％、パーム油脂肪酸７５％をナトリウで中和した塩
＊＊：パーム核油脂肪酸残基をアシル基に有するアシルメチルタウリンのナトリウム塩（Ａ）、パーム核油脂肪酸残基をアシル基に有するイセチオン酸ナトリウム塩（Ｂ）、及びパーム核油脂肪酸残基をアシル基に有するＮ−アシルグルタミン酸ナトリウム塩（Ｃ）の混合成分であり、重量比（Ａ：Ｂ：Ｃ）は３：１：１
【００３９】
表２から、実施例１〜１１の粉末洗浄剤組成物は、いずれも、泡立ちが良好で保湿性が高く、しかもブロッキングも起こし難い優れた洗浄剤であることが分かる。